(57)【要約】      （修正有）【課題】設置面に設置したソーラーパネルへ向けて吹く風による影響を低減することのできるソーラーパネル配置構造を提供する。【解決手段】複数のソーラーパネル１１を設置面Ｐに配置するソーラーパネル配置構造１０で、ソーラーパネル１１は、対向方向で対を為す第１ソーラーパネル１１Ａと第２ソーラーパネル１１Ｂとを備え、第１ソーラーパネル１１Ａは、一方の端部を第１近接辺部１１Ａｏとしかつ他方の端部を第１離間辺部１１Ａｉとして設置面Ｐに対して第１傾斜角度θ１の傾斜を為して設けられ、第２ソーラーパネル１１Ｂは、一方の端部を第２近接辺部１１Ｂｏとしかつ他方の端部を第２離間辺部１１Ｂｉとして設置面Ｐに対して第２傾斜角度θ２の傾斜を為して設けられ、第１ソーラーパネル１１Ａと第２ソーラーパネル１１Ｂとは、第１離間辺部と第２離間辺部とを対向方向で付き合わせることで対を為して配置される。【選択図】図３
2015124537.tif 000002
【特許請求の範囲】
【請求項１】
太陽エネルギーから電力を創り出す複数のソーラーパネルを設置面に設置して配置するためのソーラーパネル配置構造であって、
前記ソーラーパネルは、対向方向で対を為す第１ソーラーパネルと第２ソーラーパネルとを備え、
前記第１ソーラーパネルは、前記対向方向で見た一方の端部を前記設置面に最も近づく第１近接辺部としかつ前記対向方向で見た他方の端部を前記設置面から最も離れる第１離間辺部とすべく、前記第１近接辺部から前記第１離間辺部へ向かうに連れて前記設置面から漸次的に離れるように前記設置面に対して第１傾斜角度の傾斜を為して設けられ、
前記第２ソーラーパネルは、前記対向方向で見た一方の端部を設置される設置面に最も近づく第２近接辺部としかつ前記対向方向で見た他方の端部を前記設置面から最も離れる第２離間辺部とすべく、前記第２近接辺部から前記第２離間辺部へ向かうに連れて前記設置面から漸次的に離れるように前記設置面に対して第２傾斜角度の傾斜を為して設けられ、
前記第１ソーラーパネルと前記第２ソーラーパネルとは、前記第１離間辺部と前記第２離間辺部とを前記対向方向で付き合わせることで対を為して配置されることを特徴とするソーラーパネル配置構造。
【請求項２】
前記第１ソーラーパネルと前記第２ソーラーパネルとは、前記対向方向で対を為す状態を維持しつつ、前記対向方向に直交する整列方向で複数個が整列されて配置されていることを特徴とする請求項１に記載のソーラーパネル配置構造。
【請求項３】
前記整列方向は、前記設置面上における南北方向を含むものとされていることを特徴とする請求項２に記載のソーラーパネル配置構造。
【請求項４】
前記整列方向は、前記設置面上における南北方向に一致されていることを特徴とする請求項３に記載のソーラーパネル配置構造。
【請求項５】
前記設置面は、鉛直方向に対して傾斜された傾斜面とされ、
前記整列方向は、傾斜面とされた前記設置面における勾配方向に一致されていることを特徴とする請求項２に記載のソーラーパネル配置構造。
【請求項６】
前記第１ソーラーパネルと前記第２ソーラーパネルとは、前記対向方向で対を為す状態を維持しつつ、前記対向方向で複数個が並列されて配置されていることを特徴とする請求項１ないし請求項５のいずれか１項に記載のソーラーパネル配置構造。
【請求項７】
前記対向方向で対を為す前記各第１ソーラーパネルと前記各第２ソーラーパネルとは、前記対向方向で隣接する前記第１近接辺部と前記第２近接辺部との間に、作業者が通ることを可能とする最低限の幅寸法とされた通路用間隔を形成して前記対向方向に並列されていることを特徴とする請求項６に記載のソーラーパネル配置構造。
【請求項８】
前記第１ソーラーパネルと前記第２ソーラーパネルとは、互いに等しい構成とされ、
前記第１傾斜角度と前記第２傾斜角度とは、互いに等しい大きさとされていることを特徴とする請求項１から請求項７のいずれか１項に記載のソーラーパネル配置構造。
【請求項９】
前記第１傾斜角度は、３度から４５度の範囲内で設定し、
前記第２傾斜角度は、３度から４５度の範囲内で設定することを特徴とする請求項１から請求項８のいずれか１項に記載のソーラーパネル配置構造。
【請求項１０】
太陽エネルギーから電力を創り出す複数のソーラーパネルを設置面に設置するためのソーラーパネル配置構造であって、
前記各ソーラーパネルは、一方の端部を前記設置面に最も近づく近接辺部としかつ他方の端部を前記設置面から最も離れる離間辺部とすべく前記近接辺部から前記離間辺部へ向かうに連れて前記設置面から漸次的に離れるように前記設置面に対して傾斜角度の傾斜を為して設けられ、前記離間辺部を互いに付き合わせることで対を為して配置されることを特徴とするソーラーパネル配置構造。
【発明の詳細な説明】
【技術分野】
【０００１】
本発明は、太陽エネルギーから電力を創り出すソーラーパネルを複数個並べて設置する際のソーラーパネル配置構造に関する。
【背景技術】
【０００２】
近年、太陽エネルギーを電力に変換するソーラー発電を行うことが考えられている。このようなソーラー発電を行う場合、光エネルギーを直接電力に変換する電力機器である太陽電池（セル）を、複数枚並べつつそれらを接続して構成されたパネル状のソーラーパネルを用いることが知られている。そして、このソーラーパネルを複数個用いることで、より大きな電力を生成することを可能とすることが考えられている（例えば、特許文献１参照）。このように複数のソーラーパネルを用いる場合、それらを隣接させて設置することにより、面積に対する設置効率を高めている。
【先行技術文献】
【特許文献】
【０００３】
【特許文献１】特開２０１２−５４４６５号公報
【発明の概要】
【発明が解決しようとする課題】
【０００４】
ここで、各ソーラーパネルは、太陽光を効率良く受ける観点から緯度に応じて設定された傾斜とされて、太陽光を受けて発電する表面を空側に向けて設置される。このため、各ソーラーパネルでは、表面とは反対側の裏面側が、地面等の当該ソーラーパネルが設置された設置面に対して傾斜した状態とされて当該設置面と対向されている。このことから、各ソーラーパネルでは、裏面側から設置面に沿って風が吹くと、その風を裏面で受け止めることとなり、設置面から浮き上がらせる力を作用させてしまう。このことは、各ソーラーパネルを設置面に設置するための架台から当該各ソーラーパネルを外そうとする力を作用させたり、その架台を設置面から外そうとする力を作用させたりしてしまう。
【０００５】
本発明は、上記の事情に鑑みて為されたもので、設置面に設置したソーラーパネルへ向けて吹く風による影響を低減することのできるソーラーパネル配置構造を提供することにある。
【課題を解決するための手段】
【０００６】
請求項１に記載のソーラーパネル配置構造は、太陽エネルギーから電力を創り出す複数のソーラーパネルを設置面に設置して配置するためのソーラーパネル配置構造であって、前記ソーラーパネルは、対向方向で対を為す第１ソーラーパネルと第２ソーラーパネルとを備え、前記第１ソーラーパネルは、前記対向方向で見た一方の端部を前記設置面に最も近づく第１近接辺部としかつ前記対向方向で見た他方の端部を前記設置面から最も離れる第１離間辺部とすべく、前記第１近接辺部から前記第１離間辺部へ向かうに連れて前記設置面から漸次的に離れるように前記設置面に対して第１傾斜角度の傾斜を為して設けられ、前記第２ソーラーパネルは、前記対向方向で見た一方の端部を設置される設置面に最も近づく第２近接辺部としかつ前記対向方向で見た他方の端部を前記設置面から最も離れる第２離間辺部とすべく、前記第２近接辺部から前記第２離間辺部へ向かうに連れて前記設置面から漸次的に離れるように前記設置面に対して第２傾斜角度の傾斜を為して設けられ、前記第１ソーラーパネルと前記第２ソーラーパネルとは、前記第１離間辺部と前記第２離間辺部とを前記対向方向で付き合わせることで対を為して配置されることを特徴とする。
【発明の効果】
【０００７】
請求項１に記載のソーラーパネル配置構造では、設置面に設置したソーラーパネルへ向けて吹く風による影響を低減することができる。
【図面の簡単な説明】
【０００８】
【図１】ソーラーパネル配置構造１０により各ソーラーパネル１１が設置されて配置された様子を示す説明図である。
【図２】図１に一点鎖線で示す円内を拡大して示す説明図である。
【図３】対向方向となる東西方向Ｄｅｗで対を為して配置された第１ソーラーパネル１１Ａと第２ソーラーパネル１１Ｂと（山型パネル対Ｐｐ）を、整列方向となる南北方向Ｄｎｓの南側から見た様子で示す説明図である。
【図４】ソーラーパネル配置構造１０で設置された各ソーラーパネル１１の様子を設置面Ｐに沿う方向で示す説明図であり、（ａ）は整列方向となる南北方向Ｄｎｓの南側から見た様子を示し、（ｂ）は対向方向となる東西方向Ｄｅｗの東側から見た様子を示し、（ｃ）は対向方向となる東西方向Ｄｅｗの西側から見た様子を示す。
【図５】ソーラーパネル配置構造１０で設置された各ソーラーパネル１１が太陽光Ｓｌ３を受ける様子を説明するための説明図であり、対向方向で対向する両ソーラーパネル１１の外側周辺部（１１Ａｏ、１１Ｂｏ）の周辺（通路用間隔Ｐｓの周辺）を部分的に拡大して示している。
【図６】ソーラーパネル１１の表面１１ａに陰が生じる（遮蔽領域Ａｓが形成される）様子を説明するための説明図である。
【図７】従来の配置構造３０で各ソーラーパネル１１が設置された様子を示す説明図である。
【図８】従来の配置構造３０で設置された各ソーラーパネル１１を、東西方向Ｄｅｗの西側から見た様子を示す。
【図９】設置面Ｐに沿う風（風Ｗ２）が吹いた際のソーラーパネル配置構造１０（それにより設置された各ソーラーパネル１１）における作用を説明するための説明図である。
【図１０】実施例２のソーラーパネル配置構造１０２により各ソーラーパネル１１が設置された様子を示す説明図である。
【図１１】ソーラーパネル配置構造１０２で設置された各ソーラーパネル１１を設置面Ｐ２に沿う対向方向（水平方向Ｄｌ）で見た様子を示す説明図である。
【図１２】従来の配置構造３０２で各ソーラーパネル１１が傾斜面に設置された様子を示す説明図である。
【図１３】従来の配置構造３０２で設置された各ソーラーパネル１１を設置面Ｐ３に沿う水平方向Ｄｌで見た様子を示す説明図である。
【発明を実施するための形態】
【０００９】
以下に、本願発明に係るソーラーパネル配置構造の各実施例について図面を参照しつつ説明する。
【実施例１】
【００１０】
本発明に係るソーラーパネル配置構造の一実施例としての実施例１のソーラーパネル配置構造１０の概略的な構成を図１から図６を用いて説明する。その図１は、ソーラーパネル配置構造１０により各ソーラーパネル１１が設置された様子を示す説明図である。図２は、図１に一点鎖線で示す円内を拡大して示す説明図である。図３は、対向方向となる東西方向Ｄｅｗで対を為して配置された第１ソーラーパネル１１Ａと第２ソーラーパネル１１Ｂと（山型パネル対Ｐｐ）を、整列方向となる南北方向Ｄｎｓの南側から見た様子で示す説明図である。図４は、ソーラーパネル配置構造１０で設置された各ソーラーパネル１１の様子を設置面Ｐに沿う方向で示す説明図であり、（ａ）は整列方向となる南北方向Ｄｎｓの南側から見た様子を示し、（ｂ）は対向方向となる東西方向Ｄｅｗの東側から見た様子を示し、（ｃ）は対向方向となる東西方向Ｄｅｗの西側から見た様子を示す。図５は、ソーラーパネル配置構造１０で設置された各ソーラーパネル１１が太陽光Ｓｌ３を受ける様子を説明するための説明図であり、対向方向で対向する両ソーラーパネル１１の外側周辺部（１１Ａｏ、１１Ｂｏ）の周辺（通路用間隔Ｐｓの周辺）を部分的に拡大して示している。図６は、ソーラーパネル１１の表面１１ａに陰が生じる（遮蔽領域Ａｓが形成される）様子を説明するための説明図である。
【００１１】
以下の説明では、設置面Ｐ上における東西南北の方向（方位）を用いており、各図で東を符号Ｅで、西を符号Ｗで、南を符号Ｓで、北を符号Ｎで、示している。そして、以下の説明では、その設置面Ｐ上における東西南北の方向（方位）における東西方向を符号Ｄｅｗで示し、設置面Ｐ上における東西南北の方向（方位）における南北方向を符号Ｄｎｓで示す。実施例１のソーラーパネル配置構造１０では、設置面Ｐを天頂方向（鉛直方向）に直交する平坦な面としている。なお、図４および図５では、ソーラーパネル配置構造１０における各ソーラーパネル１１が設置された方向および角度関係の理解を容易なものとするために、架台１４を省略して示している。また、図５では、各第１ソーラーパネル１１Ａと各第２ソーラーパネル１１Ｂとの間での反射成分を利用する作用の理解を容易なものとするために、各ソーラーパネル１１の傾斜角度θを実施例１での設定（１５度）よりも大きなものとして示している。ついで、図６では、陰の問題を強調するために、傾斜角度θをさらに大きなものとして示している。
【００１２】
実施例１のソーラーパネル配置構造１０では、ソーラー発電システムを構成すべく設置する各ソーラーパネル１１の配置の態様を規定する。このソーラー発電システムは、施主（所有者）自身が太陽エネルギーから創り出した電力を利用したり電力会社等に売ったりすることを可能とする。また、ソーラー発電システムは、太陽エネルギーから電力を創り出す場所および施設を提供するために設けられているものであってもよい。
【００１３】
このソーラー発電システムは、複数のソーラーパネル１１がソーラーパネル配置構造１０で設置されて設けられている。そのソーラーパネル配置構造１０は、実施例１では、各ソーラーパネル１１を互いに等しい構成としている。その各ソーラーパネル１１は、図２に示すように、発電パネル部１２が支持枠部１３に支持されて構成されている。その発電パネル部１２は、補強基板上に光エネルギーを直接電力に変換する電力機器である太陽電池（セル）が複数枚並べられつつそれらが接続され、その上に保護ガラスが設けられて構成されている。発電パネル部１２は、この保護ガラスが設けられて太陽光を受ける（受光する）太陽電池（セル）が並べられた面でソーラーパネル１１における表面１１ａを規定し、その裏側でソーラーパネル１１における裏面１１ｂ（図３等参照）を規定する。この発電パネル部１２は、実施例１では、矩形の板状とされている。各発電パネル部１２（ソーラーパネル１１）は、図示は略すが、ソーラー発電用のパワーコンディショナ（パワコン）を介して出力線に接続されている。その出力線は、例えば、ソーラー発電システムを電力供給源として利用する建物への配電路に接続されたり、既存の配電路を介して電力会社等に接続されたりする。このため、各ソーラーパネル１１（発電パネル部１２）すなわちソーラー発電システムは、発電した電力を建物や電力会社等に出力することができる。各ソーラーパネル１１では、この発電パネル部１２が支持枠部１３に支持されている。
【００１４】
その支持枠部１３は、矩形の板状とされた発電パネル部１２の周辺を取り囲むように設けられており（図１参照）、発電パネル部１２の周辺を全周に渡って支持している。この支持枠部１３は、図示は略すがシール材を介在させつつ発電パネル部１２の周辺部を挟んで支持している。このため、支持枠部１３は、実施例１では、各ソーラーパネル１１における周縁部を形成している。このように構成された各ソーラーパネル１１は、支持枠部１３が対応する架台１４に裏面１１ｂ側から支持されて設置面Ｐに設置される。
【００１５】
その各架台１４は、設置面Ｐに設けられる支柱部１４ａと、その支柱部１４ａに支持される取付枠部１４ｂと、を有する。支柱部１４ａは、設置面Ｐに固定されて設けられており、実施例１では、設置面Ｐから鉛直方向に突出されている。取付枠部１４ｂは、各支柱部１４ａの上端位置に設けられており、各ソーラーパネル１１の支持枠部１３が取り付けられる箇所を構成する。この取付枠部１４ｂは、取り付けられた各ソーラーパネル１１を後述する傾斜角度θ（第１傾斜角度θ１および第２傾斜角度θ２（図３等参照））とすべく、設置面Ｐに対する傾斜角度が設定されている。取付枠部１４ｂは、実施例１では、自らが存在する面に沿って各ソーラーパネル１１（その支持枠部１３）が取り付けられて支持するものとされている。このため、取付枠部１４ｂは、設置面Ｐに対する傾斜角度が、取り付けられるソーラーパネル１１に設定された後述する傾斜角度θとされている。この取付枠部１４ｂでは、各支柱部１４ａの長さ寸法の差異により、設置面Ｐに対する傾斜角度が設定されている。このような構成であることから、架台１４に支持されたソーラーパネル１１では、下方（裏面１１ｂ側（各支柱部１４ａの間））に風を通すことが可能とされている。なお、各架台１４は、対応するソーラーパネル１１を後述する傾斜角度θ（第１傾斜角度θ１および第２傾斜角度θ２）としつつ当該各ソーラーパネル１１を設置面Ｐ上の任意の位置で支持するものであればよく、実施例１の構成に限定されるものではない。
【００１６】
実施例１のソーラーパネル配置構造１０では、各架台１４に支持された各ソーラーパネル１１を、次のような位置関係として設置する。先ず、各ソーラーパネル１１では、図１から図５に示すように、東西方向Ｄｅｗで対を為すものとされている。以下では、一対のソーラーパネル１１において、東西方向Ｄｅｗで見て東側に存在するものを第１ソーラーパネル１１Ａとし、東西方向Ｄｅｗで見て西側に存在するものを第２ソーラーパネル１１Ｂとする。なお、実施例１では、各ソーラーパネル１１が互いに等しい構成とされていることから、この第１ソーラーパネル１１Ａと第２ソーラーパネル１１Ｂとは、設置された態様（位置および傾斜される方向）が異なることを除くと、互いに等しく設置される。
【００１７】
第１ソーラーパネル１１Ａは、表面１１ａ（以下では区別のために表面１１Ａａとする）が鉛直方向上側であって東側を向くように設置面Ｐ上に設置される。詳細には、この第１ソーラーパネル１１Ａは、表面１１Ａａを設置面Ｐに平行としつつ周縁部の各辺を東西方向Ｄｅｗおよび南北方向Ｄｎｓに沿わせて配置した姿勢から、南北方向Ｄｎｓを回転中心として表面１１Ａａが東側を向く方向へと第１傾斜角度θ１（図３等参照）だけ回転した状態とされて設置面Ｐ上に設置される。このため、第１ソーラーパネル１１Ａは、当該第１ソーラーパネル１１Ａが伸びる平面（実施例１では表面１１Ａａ）と、設置面Ｐと、が第１傾斜角度θ１を為す状態とされて設置面Ｐ上に設置される。この第１ソーラーパネル１１Ａでは、東西方向Ｄｅｗで見て東側の端部に存在する外側周辺部１１Ａｏに対して、東西方向Ｄｅｗで見て西側の端部に存在する内側周辺部１１Ａｉが、鉛直方向上側に位置するものとされている（図３等参照）。このため、第１ソーラーパネル１１Ａでは、外側周辺部１１Ａｏが全ての外周辺部において設置面Ｐに最も近付く第１近接辺部（近接辺部）となり、内側周辺部１１Ａｉが全ての外周辺部において設置面Ｐから最も離れる第１離間辺部（離間辺部）となる。
【００１８】
この第１ソーラーパネル１１Ａでは、第１傾斜角度θ１の好適な設定範囲を３度から４５度としている（３（°）≦θ≦４５（°））。この第１傾斜角度θ１の範囲については後述する。この第１傾斜角度θ１は、実施例１では図３および図４（ａ）を正面視した時計回り方向を正側として、設置面Ｐに対して１５度とされている。第１傾斜角度θ１は、東西方向Ｄｅｗで対を為す一方のソーラーパネル１１である第１ソーラーパネル１１Ａにおける、設置面Ｐに対する傾斜角度θとなる。
【００１９】
第２ソーラーパネル１１Ｂは、表面１１ａ（以下では区別のために表面１１Ｂａとする）が鉛直方向上側であって西側を向くように設置面Ｐ上に設置される。詳細には、この第２ソーラーパネル１１Ｂは、表面１１Ｂａを水平面に平行としつつ周縁部の各辺を東西方向Ｄｅｗおよび南北方向Ｄｎｓに沿わせて配置した姿勢から、南北方向Ｄｎｓを回転中心として表面１１Ｂａが西側を向く方向へと第２傾斜角度θ２（図３等参照）だけ回転した状態とされて設置面Ｐ上に設置される。このため、第２ソーラーパネル１１Ｂは、当該第２ソーラーパネル１１Ｂが伸びる平面（実施例１では表面１１Ｂａ）と、設置面Ｐと、が第２傾斜角度θ２を為す状態とされて設置面Ｐ上に設置される。第２ソーラーパネル１１Ｂでは、東西方向Ｄｅｗで見て西側の端部に存在する外側周辺部１１Ｂｏに対して、東西方向Ｄｅｗで見て東側の端部に存在する内側周辺部１１Ｂｉが、鉛直方向上側に位置するものとされている（図３等参照）。このため、第２ソーラーパネル１１Ｂでは、外側周辺部１１Ｂｏが全ての外周辺部において設置面Ｐに最も近付く第２近接辺部（近接辺部）となり、内側周辺部１１Ｂｉが全ての外周辺部において設置面Ｐから最も離れる第２離間辺部（離間辺部）となる。
【００２０】
この第２ソーラーパネル１１Ｂでは、第２傾斜角度θ２の好適な設定範囲を３度から４５度としている（３（°）≦θ≦４５（°））。この第２傾斜角度θ２の範囲については後述する。この第２傾斜角度θ２は、実施例１では、各ソーラーパネル１１が互いに等しい構成とされていることから第１傾斜角度θ１と等しい大きさであって当該第１傾斜角度θ１とは異なる向きとされており、実施例１では図３および図４（ａ）を正面視した時計回り方向を正側として、設置面Ｐに対して−１５度とされている。第２傾斜角度θ２は、東西方向Ｄｅｗで対を為す他方のソーラーパネル１１である第２ソーラーパネル１１Ｂにおける、設置面Ｐに対する傾斜角度θとなる。
【００２１】
この第１ソーラーパネル１１Ａと第２ソーラーパネル１１Ｂとは、それぞれが上記した姿勢とされつつ、第１離間辺部すなわち内側周辺部１１Ａｉと、第２離間辺部すなわち内側周辺部１１Ｂｉと、を東西方向Ｄｅｗで付き合わせて配置されている。このとき、実施例１のソーラーパネル配置構造１０では、内側周辺部１１Ａｉ（第１離間辺部）と内側周辺部１１Ｂｉ（第２離間辺部）とを接触させており、対を為す第１ソーラーパネル１１Ａと第２ソーラーパネル１１Ｂとの間には隙間を設けないものとしている。この第１ソーラーパネル１１Ａと第２ソーラーパネル１１Ｂとは、内側周辺部１１Ａｉ（第１離間辺部）と内側周辺部１１Ｂｉ（第２離間辺部）とで稜線（正確には各ソーラーパネル１１の厚さ寸法に起因する溝状とされる）を形成するように逆Ｖ字状となる位置関係とされて東西方向Ｄｅｗで対を為すものとされている。このことから、ソーラーパネル配置構造１０では、東西方向Ｄｅｗが、第１ソーラーパネル１１Ａと第２ソーラーパネル１１Ｂとが対を為す方向となる対向方向となる。この対向方向（東西方向Ｄｅｗ）で対を為す第１ソーラーパネル１１Ａと第２ソーラーパネル１１Ｂとを、以下では山型パネル対Ｐｐとも言う。なお、ソーラーパネル配置構造１０では、内側周辺部１１Ａｉ（第１離間辺部）と内側周辺部１１Ｂｉ（第２離間辺部）とを完全には接触させずに、対を為す第１ソーラーパネル１１Ａと第２ソーラーパネル１１Ｂとの間に僅かな隙間を形成するものであってもよい。
【００２２】
ソーラーパネル配置構造１０では、この山型パネル対Ｐｐを複数個（図１等に示す例では５個）用いるものとして、各山型パネル対Ｐｐを東西方向Ｄｅｗ（対向方向）に直交する南北方向Ｄｎｓで整列させる。この各山型パネル対Ｐｐは、内側周辺部１１Ａｉ（第１離間辺部）と内側周辺部１１Ｂｉ（第２離間辺部）とで形成する稜線が、南北方向Ｄｎｓに沿う単一の直線上に位置するものとされる。このため、ソーラーパネル配置構造１０では、第１ソーラーパネル１１Ａと第２ソーラーパネル１１Ｂとにおける対向方向（東西方向Ｄｅｗ）で対を為す状態を維持しつつ、複数の第１ソーラーパネル１１Ａを南北方向Ｄｎｓに整列させるとともに複数の第２ソーラーパネル１１Ｂが南北方向Ｄｎｓに整列させる。このことから、ソーラーパネル配置構造１０では、南北方向Ｄｎｓが、複数の第１ソーラーパネル１１Ａと複数の第２ソーラーパネル１１Ｂとが整列される整列方向となる。この整列方向（南北方向Ｄｎｓ）に整列された複数の山型パネル対Ｐｐ（複数の第１ソーラーパネル１１Ａおよび複数の第２ソーラーパネル１１Ｂ）を、以下では山型パネルラインＰｌとも言う。
【００２３】
ソーラーパネル配置構造１０では、この山型パネルラインＰｌを複数個（図１等に示す例では３個）用いるものとして、各山型パネルラインＰｌを対向方向（東西方向Ｄｅｗ）で並列させている。この各山型パネルラインＰｌでは、対向方向で互いに隣接する箇所の間、すなわち第１ソーラーパネル１１Ａの外側周辺部１１Ａｏと第２ソーラーパネル１１Ｂの外側周辺部１１Ｂｏとの間に、通路用間隔Ｐｓが設けられている。この通路用間隔Ｐｓは、各ソーラーパネル１１（各第１ソーラーパネル１１Ａおよび各第２ソーラーパネル１１Ｂ）のメンテナンスを行うことを可能とすべく作業員が通れる最低限の幅寸法を確保するものとしている。
【００２４】
このため、ソーラーパネル配置構造１０では、基本的に複数のソーラーパネル１１（各第１ソーラーパネル１１Ａおよび各第２ソーラーパネル１１Ｂ）を整列方向（南北方向Ｄｎｓ）に整列させて、その整列方向に伸びる複数のソーラーパネルラインを構成している。その各ソーラーパネルラインは、対向方向（東西方向Ｄｅｗ）で並列されている。そして、ソーラーパネル配置構造１０では、各第１ソーラーパネル１１Ａによるソーラーパネルラインと各第２ソーラーパネル１１Ｂによるソーラーパネルラインとで、稜線が整列方向に伸びる山型（山型パネルラインＰｌ）を形成している。
【００２５】
このことから、ソーラーパネル配置構造１０では、対向方向（東西方向Ｄｅｗ）で東側から見ると、各山型パネルラインＰｌのうちの最も東側に位置するものの東側の面（各ソーラーパネルラインのうちの最も東側に位置するもの）のみが見えることとなるので、図４（ｂ）に示すように、各第１ソーラーパネル１１Ａの表面１１Ａａのみが見える。また、ソーラーパネル配置構造１０では、対向方向で西側から見ると、各山型パネルラインＰｌのうちの最も西側に位置するものの西側の面（各ソーラーパネルラインのうちの最も西側に位置するもの）のみが見えることとなるので、図４（ｃ）に示すように、各第２ソーラーパネル１１Ｂの表面１１Ｂａのみが見える。さらに、ソーラーパネル配置構造１０では、整列方向（南北方向Ｄｎｓ）で見ると、各山型パネルラインＰｌ（各ソーラーパネルライン）の端部が見えることとなるので、図４（ａ）に示すように、一対の第１ソーラーパネル１１Ａと第２ソーラーパネル１１Ｂとにより形成された複数の山型（山型パネル対Ｐｐ）が、対向方向（東西方向Ｄｅｗ）に連続して並列する様子が見える。
【００２６】
これにより、ソーラーパネル配置構造１０では、対向方向（東西方向Ｄｅｗ）で外側から見ると、各第１ソーラーパネル１１Ａ（その表面１１Ａａ）もしくは各第２ソーラーパネル１１Ｂ（その表面１１Ｂａ）で、内側へと向かうに連れて上方へと向かう傾斜面を形成している。また、ソーラーパネル配置構造１０では、各山型（山型パネル対Ｐｐ（山型パネルラインＰｌ））において、各第１ソーラーパネル１１Ａと各第２ソーラーパネル１１Ｂとの下側に南北方向Ｄｎｓ（整列方向）に伸びる風道Ａｗを形成している。そして、ソーラーパネル配置構造１０では、各山型（山型パネル対Ｐｐ（山型パネルラインＰｌ））の間において、各第１ソーラーパネル１１Ａ（その表面１１Ａａ）と各第２ソーラーパネル１１Ｂ（その表面１１Ｂａ）とを東西方向Ｄｅｗ（対向方向）で対向させている。
【００２７】
このソーラーパネル配置構造１０では、図４（ａ）に示すように、南北方向Ｄｎｓに整列された各第１ソーラーパネル１１Ａが東側に傾けられており、同じく南北方向Ｄｎｓに整列された各第２ソーラーパネル１１Ｂが西側に傾けられている。このため、ソーラーパネル配置構造１０では、太陽の高度が低く東側に位置する朝方では、東側から照射する太陽光Ｓｌ１を東側に傾けられた各第１ソーラーパネル１１Ａ（その発電パネル部１２）で効率良く受光することができる。この効率良くとは、太陽光（この場合は太陽光Ｓｌ１）の照射方向に対して正対した状態のソーラーパネル１１（この場合は第１ソーラーパネル１１Ａ）により受光することのできる面積に対する実際にソーラーパネル１１が受光することのできる面積の比が大きいことを言う。このとき、ソーラーパネル配置構造１０では、効率は落ちるものの、西側に傾けられた各第２ソーラーパネル１１Ｂ（その発電パネル部１２）でも角度に応じて適宜太陽光Ｓｌ１を受光する。
【００２８】
また、ソーラーパネル配置構造１０では、太陽の高度が高い位置となる昼間では、照射される太陽光Ｓｌ２を全てのソーラーパネル１１（その発電パネル部１２）すなわち各第１ソーラーパネル１１Ａ（その発電パネル部１２）と各第２ソーラーパネル１１Ｂ（その発電パネル部１２）とで満遍無く受光することができる。
【００２９】
そして、ソーラーパネル配置構造１０では、太陽の高度が低く西側に位置する夕刻では、西側から照射される太陽光Ｓｌ３を西側に傾けられた各第２ソーラーパネル１１Ｂ（その発電パネル部１２）で効率良く受光することができる。このとき、ソーラーパネル配置構造１０では、効率は落ちるものの、東側に傾けられた各第１ソーラーパネル１１Ａ（その発電パネル部１２）でも角度に応じて適宜太陽光Ｓｌ３を受光する。
【００３０】
このため、ソーラーパネル配置構造１０では、太陽の日周運動に起因する受光量の変化を抑制することができ、一日を通して時間毎の受光量すなわち発電量の差異を抑制しつつ発電することができる。このような作用は、各第１ソーラーパネル１１Ａにおける第１傾斜角度θ１と各第２ソーラーパネル１１Ｂにおける第２傾斜角度θ２とを太陽の日周運動に適合させて設定することで、より大きな効果を得ることができる。
【００３１】
また、ソーラーパネル配置構造１０では、上述した構成であることから、並列された東西方向Ｄｅｗ（対向方向）で隣り合う２つの山型パネルラインＰｌにおいて、一方の山型パネルラインＰｌを構成する各第１ソーラーパネル１１Ａ（その表面１１Ａａ）と他方の山型パネルラインＰｌを構成する各第２ソーラーパネル１１Ｂ（その表面１１Ｂａ）とが、東西方向Ｄｅｗ（対向方向）で対向している。このため、ソーラーパネル配置構造１０では、図５に示すように、西側から太陽光Ｓｌ３が照射されると、その一部（太陽光Ｓｌ３ａ）を上述したように西側に傾けられた各第２ソーラーパネル１１Ｂ（その発電パネル部１２）で効率良く受光する。また、ソーラーパネル配置構造１０では、西側から照射された太陽光Ｓｌ３の他部（太陽光Ｓｌ３ｂ）を上述したように東側に傾けられた各第１ソーラーパネル１１Ａ（その発電パネル部１２）でも角度に応じて適宜を受光する。このとき、各第１ソーラーパネル１１Ａ（その発電パネル部１２）では、照射された太陽光Ｓｌ３ｂの一部を反射させてしまい（太陽光Ｓｌ３ｂ´参照）、発電に用いることができない。ところが、ソーラーパネル配置構造１０では、上述した構成であることから、各第１ソーラーパネル１１Ａ（その発電パネル部１２）で反射した太陽光Ｓｌ３ｂ´を、東西方向Ｄｅｗ（対向方向）で対向する各第２ソーラーパネル１１Ｂ（その表面１１Ｂａ）へと進行させることができる。このため、ソーラーパネル配置構造１０では、各第１ソーラーパネル１１Ａ（その発電パネル部１２）で反射されてしまった太陽光Ｓｌ３ｂ´も、各第２ソーラーパネル１１Ｂ（その表面１１Ｂａ）で受光することができるので、より受光効率を高めることができ、発電量を高めることができる。このことは、例えば、東側から照射される太陽光Ｓｌ１（図４参照）である場合には、各第１ソーラーパネル１１Ａと各第２ソーラーパネル１１Ｂとの役割が入れ替わるだけで同様の作用を生じさせることができ、図５に示す例以外の太陽光であっても同様の効果を得ることができる。
【００３２】
この反射による受光効率を向上させる作用は、各第１ソーラーパネル１１Ａにおける第１傾斜角度θ１と各第２ソーラーパネル１１Ｂにおける第２傾斜角度θ２とを大きくするほど、大きな効果を得ることができる。すなわち、各ソーラーパネル１１の各傾斜角度θを大きくするほど、一方のソーラーパネル１１（その表面１１ａ）で反射してしまった太陽光を、他方のソーラーパネル１１（その表面１１ａ）へと進行させることができる。ところが、各ソーラーパネル１１の各傾斜角度θを大きくすると、各ソーラーパネル１１と対向するソーラーパネル１１が形成する山型パネルラインＰｌによる陰の問題が生じてしまう。この一例を、図６を用いて説明する。
【００３３】
ソーラーパネル配置構造１０では、上述した構成であることから、各ソーラーパネル１１の大きさ寸法とその各傾斜角度θとが大きくなるほど、東西方向Ｄｅｗ（対向方向）で対を為す各第１ソーラーパネル１１Ａと各第２ソーラーパネル１１Ｂとが形成する山型（山型パネル対Ｐｐ（山型パネルラインＰｌ））の高さ寸法が大きくなる。ここで、その山型は、図６に示すように、例えば、低い高度で西側から太陽光Ｓｌ４が照射されたものとすると、自らの東側の位置で西側に傾けられた各第２ソーラーパネル１１Ｂ（その表面１１Ｂａ）へと太陽光Ｓｌ４の一部が到達することを阻害してしまい、陰を生じさせてしまう。すなわち、各第２ソーラーパネル１１Ｂ（その表面１１Ｂａ）では、自らの西側に位置する山型（山型パネル対Ｐｐ（山型パネルラインＰｌ））により、太陽光Ｓｌ４が照射されることのない遮蔽領域Ａｓが形成されてしまう。この遮蔽領域Ａｓは、その山型の高さ寸法が大きくなるほど、大きな面積となる。このため、各ソーラーパネル１１（各第１ソーラーパネル１１Ａおよび各第２ソーラーパネル１１Ｂ）における傾斜角度θ（第１傾斜角度θ１および第２傾斜角度θ２）を大きくするほど、遮蔽領域Ａｓの増大を招いてしまい、各ソーラーパネル１１の利用効率の低下を招いてしまう。
【００３４】
これらのことから、ソーラーパネル配置構造１０では、各ソーラーパネル１１の傾斜角度θを、大きな値とする要素としての反射による受光効率を向上させる観点と、小さな値とする要素としての陰の問題（遮蔽領域Ａｓの増大）による利用効率の低下を抑制する観点と、を勘案して、太陽の日周運動に適合させて設定することが望ましい。ソーラーパネル配置構造１０では、この傾斜角度θの好適な設定範囲を３度から４５度としている。これは、傾斜角度θを３度とすることにより、陰の問題を殆どなくすことができる、すなわち太陽の日周運動に伴う高度の変化に拘わらず遮蔽領域Ａｓが形成されることを防止することができることによる。また、傾斜角度θを４５度とすることにより、反射による受光効率の向上を極めて高いものとすることができる、すなわち太陽の日周運動に伴って変化する太陽光の照射角度が設置面Ｐに対して４５度から１３５度までの角度範囲において一方のソーラーパネル１１（その表面１１ａ）で反射された太陽光（その少なくとも一部）を、対向方向（東西方向Ｄｅｗ）で対向する他方のソーラーパネル１１（その表面１１ａ）へと進行させることができることによる。実施例１のソーラーパネル配置構造１０では、これらのことを勘案して、第１傾斜角度θ１と第２傾斜角度θ２とを１５度に設定している。
【００３５】
さらに、ソーラーパネル配置構造１０では、上述したように第１傾斜角度θ１と第２傾斜角度θ２と設定して、対向方向（東西方向Ｄｅｗ）で対を為す第１ソーラーパネル１１Ａと第２ソーラーパネル１１Ｂとを整列方向（南北方向Ｄｎｓ）に整列させて、それらを対向方向（東西方向Ｄｅｗ）で並列させている。このため、ソーラーパネル配置構造１０では、従来の配置構造３０のように緯度に応じて角度を調整する必要がないので、緯度の変化に拘わらず同一の設定として各ソーラーパネル１１を配置することができる。その従来の配置構造３０とその問題点とについて、図７および図８を用いて説明する。
【００３６】
その図７は、従来の配置構造３０で各ソーラーパネル１１が設置された様子を示す説明図である。図８は、従来の配置構造３０で設置された各ソーラーパネル１１を、東西方向Ｄｅｗの西側から見た様子を示す。なお、この従来の配置構造３０では、各ソーラーパネル１１の配置関係に起因して問題点が生じるものであって、設置面Ｐに各ソーラーパネル１１を設置するための構成（各架台１４）およびその各ソーラーパネル１１の構成をソーラーパネル配置構造１０と同様のものとしても当該問題点が生じるものであることから、ソーラーパネル配置構造１０と同様のものとしている。このため、以下の従来の配置構造３０の説明では、等しい構成の個所には同じ符号を付し、その詳細な説明は省略する。
【００３７】
従来の配置構造３０では、図７および図８に示すように、複数のソーラーパネル１１が設置される設置面Ｐの緯度に応じた傾斜角度θ３（図８参照）とされて、東西方向Ｄｅｗに整列される。これにより、従来の配置構造３０では、東西方向Ｄｅｗに伸びるパネルラインＬを形成する。そして、従来の配置構造３０では、複数のパネルラインＬ（整列された複数のソーラーパネル１１）を、その整列された東西方向Ｄｅｗに直交する南北方向Ｄｎｓに並列させる。このように、従来の配置構造３０では、複数のソーラーパネル１１を、東西方向Ｄｅｗおよび南北方向Ｄｎｓに並べて配置する。加えて、従来の配置構造３０では、図８に示すように、所定の時刻における太陽光Ｓｌ５を基準として、あるソーラーパネル１１の表面１１ａにおいて当該ソーラーパネル１１が設置された位置よりも南側に位置するソーラーパネル１１（パネルラインＬ）により陰が形成されないように、各ソーラーパネル１１（パネルラインＬ）の南北方向Ｄｎｓでの設置間隔Ｃを設定する。なお、この図７および図８に示す例は、北半球に設置するものとして、各ソーラーパネル１１（その表面１１ａ）が南側に向けられている。
【００３８】
このように、従来の配置構造３０では、各ソーラーパネル１１（その表面１１ａ）が緯度に応じた傾斜角度θ３とされて設置面Ｐ上に配置されていることから、図８に示すように、各ソーラーパネル１１の裏面１１ｂが、設置面Ｐとの間で鋭角を形成しつつ当該設置面Ｐに対して傾斜した状態とされて当該設置面Ｐに対向されている。このため、従来の配置構造３０では、設置面Ｐに沿って北側から風Ｗ１が吹いた場合、各ソーラーパネル１１が裏面１１ｂで風Ｗ１を受け止めることとなり、各ソーラーパネル１１に設置面Ｐから浮き上がらせる力を作用させてしまう。このことは、各ソーラーパネル１１を各架台１４から当該各ソーラーパネル１１を外そうとする力を作用させたり、その各架台１４を設置面Ｐから外そうとする力を作用させたりしてしまう。
【００３９】
また、従来の配置構造３０では、上述したように、所定の時刻における太陽光Ｓｌ５を基準として、あるソーラーパネル１１が設置された位置よりも南側に位置するソーラーパネル１１により陰が形成されないように、南北方向Ｄｎｓで見て各ソーラーパネル１１の間に設置間隔Ｃを設定している。このため、従来の配置構造３０では、各ソーラーパネル１１の利用効率を増加させるべく陰が形成されない時間を長くするためには、上記した所定の時刻を太陽高度がそれほど高くない時間とする必要があり、設置間隔Ｃの増大を招いてしまう。このため、従来の配置構造３０では、設置面Ｐの面積に対して実際に各ソーラーパネル１１を設置することのできる面積の割合（土地の利用効率）が低下してしまう。
【００４０】
これに対して、本願発明に係るソーラーパネル配置構造の一実施例としてのソーラーパネル配置構造１０では、第１ソーラーパネル１１Ａと第２ソーラーパネル１１Ｂとを対向方向（東西方向Ｄｅｗ）で対を為すものとしている。また、ソーラーパネル配置構造１０では、第１ソーラーパネル１１Ａを第１傾斜角度θ１とするとともに第２ソーラーパネル１１Ｂを第２傾斜角度θ２として、第１ソーラーパネル１１Ａの内側周辺部１１Ａｉ（第１離間辺部）と第２ソーラーパネル１１Ｂの内側周辺部１１Ｂｉ（第２離間辺部）とを対向方向（東西方向Ｄｅｗ）で付き合わせて配置している。このため、ソーラーパネル配置構造１０では、設置面Ｐに沿う方向で見ると、各ソーラーパネル１１の裏面１１ｂの前には必ず対を為すソーラーパネル１１を存在させていることとなる。このことから、ソーラーパネル配置構造１０では、例えば、図９に示すように、設置面Ｐに沿って西側から風Ｗ２が吹いた場合であっても、各第１ソーラーパネル１１Ａ（その裏面１１ｂ）の西側には当該第１ソーラーパネル１１Ａと対を為す第２ソーラーパネル１１Ｂが存在することから、第２ソーラーパネル１１Ｂ（その表面１１Ｂａ）に沿う風の流れＦを形成することができる。これにより、ソーラーパネル配置構造１０では、上記した風Ｗ２が吹いた場合であっても、その風Ｗ２が第１ソーラーパネル１１Ａの裏面１１ｂに直接当たること（二点鎖線で示す風Ｗ３参照）を防止することができる。このことは、設置面Ｐに沿って東側から風が吹いた場合であっても同様である（風Ｗ２´、風の流れＦ´、風Ｗ３´参照）。よって、ソーラーパネル配置構造１０では、設置面Ｐに沿って対向方向（東西方向Ｄｅｗ）の風が吹いた場合であっても、当該風によりソーラーパネル１１に設置面Ｐから浮き上がらせる力が作用すること（風の影響）を防止することができる。
【００４１】
また、ソーラーパネル配置構造１０では、対向方向（東西方向Ｄｅｗ）で対を為す第１ソーラーパネル１１Ａと第２ソーラーパネル１１Ｂとを、それぞれ設定した傾斜角度θ（第１傾斜角度θ１、第２傾斜角度θ２）としつつ内側周辺部１１Ａｉ（第１離間辺部）と内側周辺部１１Ｂｉ（第２離間辺部）とを対向方向（東西方向Ｄｅｗ）で付き合わせて配置している。このため、ソーラーパネル配置構造１０では、対を為す第１ソーラーパネル１１Ａと第２ソーラーパネル１１Ｂとで山型（山型パネル対Ｐｐ）を形成しており、その山型すなわち第１ソーラーパネル１１Ａと第２ソーラーパネル１１Ｂとの下側に対向方向（東西方向Ｄｅｗ）と直交する方向（整列方向（南北方向Ｄｎｓ））に伸びる風道Ａｗ（図１から図３等参照）を形成している。このことから、ソーラーパネル配置構造１０では、設置面Ｐに沿って（整列方向（南北方向Ｄｎｓ））の風が吹いた場合であっても、両ソーラーパネル１１の下側では風道Ａｗを通して当該風を逃がすことができるので、当該風により各ソーラーパネル１１に設置面Ｐから浮き上がらせる力が作用すること（風の影響）を防止することができる。
【００４２】
さらに、ソーラーパネル配置構造１０では、対向方向（東西方向Ｄｅｗ）で対を為す第１ソーラーパネル１１Ａと第２ソーラーパネル１１Ｂとで形成した複数の山型（山型パネル対Ｐｐ）を、その対向方向（東西方向Ｄｅｗ）に並列させている。また、ソーラーパネル配置構造１０では、東西方向Ｄｅｗ（対向方向）で互いに隣接する箇所の間、すなわち第１ソーラーパネル１１Ａの外側周辺部１１Ａｏと第２ソーラーパネル１１Ｂの外側周辺部１１Ｂｏとの間に、通路用間隔Ｐｓを設けている。ソーラーパネル配置構造１０では、その通路用間隔Ｐｓを、各ソーラーパネル１１（各第１ソーラーパネル１１Ａおよび各第２ソーラーパネル１１Ｂ）のメンテナンスを行うことを可能とすべく作業員が通れる最低限の幅寸法を確保するものとしている。このため、ソーラーパネル配置構造１０では、従来の配置構造３０のように陰が形成されることを防止すべく設定した設置間隔Ｃを設けることと比較して、設ける通路用間隔Ｐｓの幅寸法を小さなものとすることができる。よって、ソーラーパネル配置構造１０では、従来の配置構造３０と比較して、設置面Ｐの面積に対して実際に各ソーラーパネル１１を設置することのできる面積の割合（土地の利用効率）を向上させることができる。このため、ソーラーパネル配置構造１０では、従来の配置構造３０と比較して、設置面Ｐの面積が等しいものであっても、より多くの太陽エネルギーを利用して発電することができ、多くの電力を創り出すことができる。
【００４３】
ソーラーパネル配置構造１０では、対向方向（東西方向Ｄｅｗ）で対を為す第１ソーラーパネル１１Ａと第２ソーラーパネル１１Ｂとで形成した複数の山型（山型パネル対Ｐｐ）を、その対向方向（東西方向Ｄｅｗ）と直交する方向（整列方向（南北方向Ｄｎｓ））に整列させている。このため、ソーラーパネル配置構造１０では、上記した風の影響を防止する効果および土地の利用効率を向上させる効果を得ることを可能としつつ、設置するソーラーパネル１１の個数を増加させることができ、全体としての発電量を増加させることができる。
【００４４】
ソーラーパネル配置構造１０では、対向方向（東西方向Ｄｅｗ）で対を為す第１ソーラーパネル１１Ａと第２ソーラーパネル１１Ｂとで形成した複数の山型（山型パネル対Ｐｐ）を整列させる整列方向を、設置面Ｐ上における南北方向Ｄｎｓを含むものとしている。このため、ソーラーパネル配置構造１０では、各第１ソーラーパネル１１Ａ（その表面１１Ａａ）を東側に向けることができるとともに、各第２ソーラーパネル１１Ｂ（その表面１１Ｂａ）を東側に向けることができる。このことから、ソーラーパネル配置構造１０では、太陽の日周運動に起因する受光量の変化を抑制することができ、一日を通して時間による受光量すなわち発電量の差異を抑制しつつ発電することができる。特に、上記した実施例１では、整列方向を設置面Ｐ上において南北方向Ｄｎｓに一致するもの（南北方向Ｄｎｓに沿うもの）としていることから、太陽の日周運動に起因する受光量の変化をより効果的に抑制することができ、一日を通して時間による受光量すなわち発電量の差異をより効果的に抑制しつつ発電することができる。
【００４５】
ソーラーパネル配置構造１０では、対向方向（東西方向Ｄｅｗ）で対を為す第１ソーラーパネル１１Ａと第２ソーラーパネル１１Ｂとで形成した複数の山型（山型パネル対Ｐｐ）を、その対向方向（東西方向Ｄｅｗ）に並列させている。また、ソーラーパネル配置構造１０では、その第１ソーラーパネル１１Ａと第２ソーラーパネル１１Ｂとを、それぞれ設定した傾斜角度θ（第１傾斜角度θ１、第２傾斜角度θ２）としつつ内側周辺部１１Ａｉ（第１離間辺部）と内側周辺部１１Ｂｉ（第２離間辺部）とを対向方向（東西方向Ｄｅｗ）で付き合わせて配置している。このため、ソーラーパネル配置構造１０では、互いに傾斜された各第１ソーラーパネル１１Ａ（その表面１１Ａａ）と各第２ソーラーパネル１１Ｂ（その表面１１Ｂａ）とが対向方向（東西方向Ｄｅｗ）で対向されている。これにより、ソーラーパネル配置構造１０では、対向方向（東西方向Ｄｅｗ）で対向する一方のソーラーパネル１１（その表面１１ａ）で反射された太陽光を、対向方向（東西方向Ｄｅｗ）で対向する他方のソーラーパネル１１（その表面１１ａ）へと進行させることができる。よって、ソーラーパネル配置構造１０では、より受光効率を高めることができ、発電量を高めることができる。
【００４６】
ソーラーパネル配置構造１０では、第１傾斜角度θ１と第２傾斜角度θ２とを設定し、対向方向（東西方向Ｄｅｗ）で対を為す第１ソーラーパネル１１Ａと第２ソーラーパネル１１Ｂとを整列方向（南北方向Ｄｎｓ）に整列させて、それらを対向方向（東西方向Ｄｅｗ）で並列させている。このため、ソーラーパネル配置構造１０では、従来の配置構造３０のように緯度に応じて角度を調整する必要がないので、緯度の変化に拘わらず同一の設定として用いることができる。
【００４７】
したがって、本発明に係る実施例１のソーラーパネル配置構造１０では、設置面Ｐに設置したソーラーパネル１１へ向けて吹く風による影響を低減することができる。
【実施例２】
【００４８】
次に、本発明の実施例２のソーラーパネル配置構造１０２について、図１０から図１３を用いて説明する。この実施例２のソーラーパネル配置構造１０２は、各ソーラーパネル１１が設置される設置面Ｐ２と、その設置面Ｐ２上における各ソーラーパネル１１の配置の際の方向の設定と、が実施例１のソーラーパネル配置構造１０とは異なる例である。この実施例２のソーラーパネル配置構造１０２は、基本的な構成および各工程は上記した実施例１のソーラーパネル配置構造１０と同様であることから、等しい構成および工程の個所には同じ符号を付し、その詳細な説明は省略する。図１０は、ソーラーパネル配置構造１０２により各ソーラーパネル１１が設置された様子を示す説明図である。図１１は、ソーラーパネル配置構造１０２で設置された各ソーラーパネル１１を設置面Ｐに沿う対向方向（水平方向Ｄｌ）で見た様子を示す説明図である。
【００４９】
実施例２のソーラーパネル配置構造１０２では、各ソーラーパネル１１を設置する設置面Ｐ２を山や丘等の傾斜面に形成している。この設置面Ｐ２は、山や丘等における陽当たりが良好な斜面に設けることが望ましく、実施例２では当該山や丘等が北半球に位置するものとして南側の傾斜面に設けている。設置面Ｐ２は、山や丘等の傾斜面を、その傾斜面（その勾配）に沿って整地することで形成する。実施例２では、設置面Ｐ２上において、傾斜面の勾配を規定する方向（等高線に直交する方向）を勾配方向Ｄｇとし、そこに直交し等高線が存在する方向を水平方向Ｄｌとする。
【００５０】
ソーラーパネル配置構造１０２では、第１ソーラーパネル１１Ａと第２ソーラーパネル１１Ｂとが対を為す対向方向を水平方向Ｄｌとする。このため、ソーラーパネル配置構造１０２では、対向方向（水平方向Ｄｌ）で対を為す各第１ソーラーパネル１１Ａと各第２ソーラーパネル１１Ｂとにより形成される山型パネル対Ｐｐを整列させる整列方向を勾配方向Ｄｇとしている。
【００５１】
このソーラーパネル配置構造１０２では、設置面Ｐ２上で上記したように対向方向（水平方向Ｄｌ）および整列方向（勾配方向Ｄｇ）を設定して、実施例１のソーラーパネル配置構造１０と同様に各ソーラーパネル１１を配置している。すなわち、ソーラーパネル配置構造１０２では、第１ソーラーパネル１１Ａを第１傾斜角度θ１とするとともに第２ソーラーパネル１１Ｂを第２傾斜角度θ２として、第１ソーラーパネル１１Ａの内側周辺部１１Ａｉ（第１離間辺部）と第２ソーラーパネル１１Ｂの内側周辺部１１Ｂｉ（第２離間辺部）とを水平方向Ｄｌ（対向方向）で付き合わせて配置している。また、ソーラーパネル配置構造１０２では、水平方向Ｄｌ（対向方向）で対を為す第１ソーラーパネル１１Ａと第２ソーラーパネル１１Ｂとにより複数の山型（山型パネル対Ｐｐ）を形成し、その複数の山型パネル対Ｐｐを勾配方向Ｄｇ（整列方向）で整列させて、複数の山型パネルラインＰｌを形成している。さらに、ソーラーパネル配置構造１０２では、形成した複数の山型パネルラインＰｌを水平方向Ｄｌ（対向方向）に並列させることにより、各ソーラーパネル１１を設置している。
【００５２】
このため、ソーラーパネル配置構造１０２では、南側の斜面に設けた設置面Ｐ２に各ソーラーパネル１１を設置していることから、より効率良く太陽光を各ソーラーパネル１１に受光させることができる。また、ソーラーパネル配置構造１０２では、その設置面Ｐ２において、第１ソーラーパネル１１Ａを第１傾斜角度θ１とするとともに第２ソーラーパネル１１Ｂを第２傾斜角度θ２として、第１ソーラーパネル１１Ａの内側周辺部１１Ａｉ（第１離間辺部）と第２ソーラーパネル１１Ｂの内側周辺部１１Ｂｉ（第２離間辺部）とを水平方向Ｄｌ（対向方向）で付き合わせて配置しているので、太陽の日周運動に起因する受光量の変化を抑制することができ、一日を通して時間毎の受光量すなわち発電量の差異を抑制しつつより効率良く発電することができる。加えて、ソーラーパネル配置構造１０２では、設置面Ｐ２において、水平方向Ｄｌを対向方向としかつ勾配方向Ｄｇを整列方向として、各ソーラーパネル１１を設置していることから、緯度に応じて角度を調整する必要がないので、緯度の変化に拘わらず同一の設定として各ソーラーパネル１１を配置することができる。
【００５３】
次に、このような山や丘等の傾斜面に各ソーラーパネル１１を設置するための従来の配置構造３０２とその問題点とについて、図１２および図１３を用いて説明する。その図１２は、従来の配置構造３０２で各ソーラーパネル１１が傾斜面に設置された様子を示す説明図である。図１３は、従来の配置構造３０２で設置された各ソーラーパネル１１を設置面Ｐ３に沿う水平方向Ｄｌで見た様子を示す説明図である。なお、この従来の配置構造３０２では、各ソーラーパネル１１の配置関係に起因して問題点が生じるものであって、設置面Ｐ３に各ソーラーパネル１１を設置するための構成（各架台１４）とその各ソーラーパネル１１の構成とをソーラーパネル配置構造１０２と同様のものとしても当該問題点が生じるものであることから、ソーラーパネル配置構造１０２と同様のものとしている。このため、以下の従来の配置構造３０２の説明では、等しい構成の個所には同じ符号を付し、その詳細な説明は省略する。
【００５４】
従来の配置構造３０２では、図１２および図１３に示すように、複数のソーラーパネル１１を水平方向Ｄｌに整列させて設置して、水平方向Ｄｌに伸びる複数のパネルラインＬ２（図１２参照）を形成する。このため、従来の配置構造３０２では、先ず、設置する傾斜面に、パネルラインＬ２に合わせた大きさ寸法の複数の設置面Ｐ３を、当該パネルラインＬ２を形成する数（図示の例では３つ）だけ形成する。これは、従来の配置構造３０２では、各ソーラーパネル１１を傾斜角度θ３で設置するための基準面を形成する必要があることによる。この従来の配置構造３０２では、ソーラーパネル配置構造１０２と同様に、設置する傾斜面を南側の傾斜面として各設置面Ｐ３を形成している。この各設置面Ｐ３は、それぞれが互いに異なる高さ位置で水平方向Ｄｌに伸びるものとする。この各設置面Ｐ３における高さ位置の差異は、それぞれに各ソーラーパネル１１（パネルラインＬ２）を設置した際に、所定の時刻における太陽光を基準として、あるソーラーパネル１１の表面１１ａにおいて当該ソーラーパネル１１が設置された位置よりも下側に位置するソーラーパネル１１（パネルラインＬ２）により陰が形成されないように設定する。このため、従来の配置構造３０２では、山や丘等の傾斜面を階段状に掘削し整地して各設置面Ｐ３を形成する。このことから、各設置面Ｐ３は、勾配方向Ｄｇに並列されている。
【００５５】
そして、従来の配置構造３０２では、設置される傾斜面の緯度に応じた傾斜角度θ３として、各設置面Ｐ３上で複数のソーラーパネル１１を整列させて設置する。この各設置面Ｐ３は、水平方向Ｄｌに伸びるものであることから、各設置面Ｐ３上において水平方向Ｄｌに伸びるパネルラインＬ２が形成されることとなる。また、各設置面Ｐ３は、勾配方向Ｄｇに並列されていることから、複数のパネルラインＬ２（整列された複数のソーラーパネル１１）が、その整列された水平方向Ｄｌに直交する勾配方向Ｄｇに並列されることとなる。このように、従来の配置構造３０２では、複数のソーラーパネル１１を水平方向Ｄｌおよび勾配方向Ｄｇに並べて配置する。そして、従来の配置構造３０２では、上述したように各設置面Ｐ３が勾配方向Ｄｇで階段状とされつつ高さ位置の差異が設定されていることから、図７および図８に示す例とは異なり設置間隔Ｃを設けないものとしている。なお、従来の配置構造３０２では、明確な図示は略すが、各設置面Ｐ３において、各ソーラーパネル１１を設置した状態において当該各ソーラーパネル１１のメンテナンスを行うことを可能とすべく作業員が通れるだけの幅寸法の通路を確保している。
【００５６】
このように、従来の配置構造３０２では、各ソーラーパネル１１（その表面１１ａ）を緯度に応じた傾斜角度θ３で設置するために、水平方向Ｄｌに伸びる各設置面Ｐ３を設けている。このため、従来の配置構造３０２では、山や丘等の傾斜面を階段状に掘削し整地して各設置面Ｐ３を形成する必要がある。特に、従来の配置構造３０２では、従来の配置構造３０（図７および図８参照）のように、傾斜されていない設置面に各ソーラーパネル１１を設置する構成と等しい構成で各ソーラーパネル１１を設置しようとすると、各設置面Ｐ３を水平面と平行なものとする必要があり、山や丘等の傾斜面の掘削量の増加を招いてしまう。
【００５７】
加えて、従来の配置構造３０２では、各ソーラーパネル１１（その表面１１ａ）が傾斜されて対応する各設置面Ｐ３上に配置されていることから、図１３に示すように、各ソーラーパネル１１の裏面１１ｂが、設置面Ｐ３に対して鋭角を形成しつつ傾斜した状態とされて当該設置面Ｐ３に対向されている。このため、従来の配置構造３０２では、下から１段目および２段目の設置面Ｐ３のように、各設置面Ｐ３の高さ位置の差異を、自らの１つ上の段となる設置面Ｐ３よりも各ソーラーパネル１１の上端部を下方に位置させるように設定しないと、当該傾斜面に沿って勾配方向Ｄｇで上側から風Ｗ４が吹いた場合、最上段（下から３段目）のように各ソーラーパネル１１が裏面１１ｂで風Ｗ４を受け止めることとなる。これにより、従来の配置構造３０２では、当該風Ｗ４が吹いた場合、各ソーラーパネル１１に設置面Ｐ３から浮き上がらせる力を作用させてしまう。このことは、各ソーラーパネル１１を各架台１４から当該各ソーラーパネル１１を外そうとする力を作用させたり、その各架台１４を設置面Ｐ３から外そうとする力を作用させたりしてしまう。なお、上述したように、各設置面Ｐ３の高さ位置の差異を、自らの１つ上の段となる設置面Ｐ３よりも各ソーラーパネル１１の上端部を下方に位置させるように設定しようとすると、山や丘等の傾斜面の掘削量の増加を招いてしまうとともに、当該傾斜面の面積に対して実際に各ソーラーパネル１１を設置することのできる面積の割合（土地の利用効率）の低下を招いてしまう。
【００５８】
これに対して、本願発明に係る実施例２のソーラーパネル配置構造１０２では、山や丘等の傾斜面をその傾斜面（その勾配）に沿って整地することで設置面Ｐ２を形成することができるので、設置面Ｐ２を形成するための作業を大幅に容易なものとすることができる。これは、ソーラーパネル配置構造１０２では、従来の配置構造３０２のように各ソーラーパネル１１（その表面１１ａ）を緯度に応じた傾斜角度θ３で設置するものではないことから、傾斜角度θ３で設置するための基準面（設置面Ｐ３）を形成する必要がないことによる。換言すると、ソーラーパネル配置構造１０２では、各ソーラーパネル１１（その表面１１ａ）を緯度に応じた傾斜角度とするものではないことから、設置される山や丘等の傾斜面を活かして各ソーラーパネル１１を設置することができるので、設置面Ｐ２を形成するための作業を大幅に容易なものとすることができる。
【００５９】
また、ソーラーパネル配置構造１０２では、各ソーラーパネル１１を設置する設置面Ｐ２が、第１ソーラーパネル１１Ａの内側周辺部１１Ａｉ（第１離間辺部）と第２ソーラーパネル１１Ｂの内側周辺部１１Ｂｉ（第２離間辺部）とを対向方向（水平方向Ｄｌ）で付き合わせて配置することで、第１ソーラーパネル１１Ａと第２ソーラーパネル１１Ｂとを対向方向（水平方向Ｄｌ）で対を為すものとすることを可能とするものであればよい。このため、ソーラーパネル配置構造１０２では、従来の配置構造３０２と比較して、各ソーラーパネル１１を設置すべく設置面Ｐ２を形成する傾斜面に求める条件を大幅に緩和することができる。これは、従来の配置構造３０２では、各ソーラーパネル１１（その表面１１ａ）を緯度に応じた傾斜角度θ３で設置することを可能とすべく、傾斜面を階段状に掘削し整地して基準面としての各設置面Ｐ３を形成する必要があることによる。
【００６０】
さらに、ソーラーパネル配置構造１０２では、設置面Ｐ２上において、第１ソーラーパネル１１Ａを第１傾斜角度θ１とするとともに第２ソーラーパネル１１Ｂを第２傾斜角度θ２として、第１ソーラーパネル１１Ａの内側周辺部１１Ａｉ（第１離間辺部）と第２ソーラーパネル１１Ｂの内側周辺部１１Ｂｉ（第２離間辺部）とを対向方向（水平方向Ｄｌ）で付き合わせて配置している。このため、ソーラーパネル配置構造１０２では、設置面Ｐ２に沿う方向で見ると、各ソーラーパネル１１の裏面１１ｂの前には必ず対を為すソーラーパネル１１を存在させていることとなる。このことから、ソーラーパネル配置構造１０２では、設置面Ｐ２に沿って水平方向Ｄｌに風が吹いた場合であっても、対を為す一方のソーラーパネル１１（その表面１１ａ）に沿う風の流れを形成することができ、他方のソーラーパネル１１の裏面（裏面１１ｂ）に直接当たることを防止することができる。よって、ソーラーパネル配置構造１０２では、設置面Ｐ２に沿って対向方向（水平方向Ｄｌ）の風が吹いた場合であっても、当該風によりソーラーパネル１１に設置面Ｐ２から浮き上がらせる力が作用すること（風の影響）を防止することができる。
【００６１】
ソーラーパネル配置構造１０２では、設置面Ｐ２上において、対向方向（水平方向Ｄｌ）で対を為す第１ソーラーパネル１１Ａと第２ソーラーパネル１１Ｂとを、それぞれ設定した傾斜角度θ（第１傾斜角度θ１、第２傾斜角度θ２）としつつ内側周辺部１１Ａｉ（第１離間辺部）と内側周辺部１１Ｂｉ（第２離間辺部）とを対向方向（水平方向Ｄｌ）で付き合わせて配置している。このため、ソーラーパネル配置構造１０２では、設置面Ｐ２上において、対を為す第１ソーラーパネル１１Ａと第２ソーラーパネル１１Ｂとで山型（山型パネル対Ｐｐ）を形成しており、その山型すなわち第１ソーラーパネル１１Ａと第２ソーラーパネル１１Ｂとの下側に対向方向（水平方向Ｄｌ）と直交する方向（整列方向（勾配方向Ｄｇ））に伸びる風道（風道Ａｗ）を形成している。このことから、ソーラーパネル配置構造１０２では、傾斜面に沿って勾配方向Ｄｇで風が吹いた場合であっても、両ソーラーパネル１１の下側で風道（風道Ａｗ）を通して当該風を逃がすことができるので、当該風により各ソーラーパネル１１に設置面Ｐ２から浮き上がらせる力が作用すること（風の影響）を防止することができる。
【００６２】
ソーラーパネル配置構造１０２では、設置面Ｐ２上において、第１傾斜角度θ１と第２傾斜角度θ２と設定して、対向方向（水平方向Ｄｌ）で対を為す第１ソーラーパネル１１Ａと第２ソーラーパネル１１Ｂとを整列方向（勾配方向Ｄｇ）に整列させて、それらを対向方向（水平方向Ｄｌ）で並列させている。このため、ソーラーパネル配置構造１０２では、必要であれば傾斜に起因する荷重の変化等の対策を施す必要はあるが、従来の配置構造３０２のように緯度に応じて角度を調整する必要がなく、実施例１の設置面Ｐのように傾斜されていない設置面に各ソーラーパネル１１を設置する構成と等しい構成で各ソーラーパネル１１を設置することができる。
【００６３】
加えて、実施例２のソーラーパネル配置構造１０２では、基本的に実施例１のソーラーパネル配置構造１０と同様の構成であることから、基本的に実施例１と同様の効果を得ることができる。
【００６４】
したがって、本発明に係る実施例２のソーラーパネル配置構造１０２では、設置面Ｐ２に設置したソーラーパネル１１へ向けて吹く風による影響を低減することができる。
【００６５】
なお、実施例２のソーラーパネル配置構造１０２では、各ソーラーパネル１１を単一の設置面Ｐ２に設置していたが、水平方向Ｄｌ（対向方向）で対を為して第１ソーラーパネル１１Ａと第２ソーラーパネル１１Ｂとを設置して山型パネル対Ｐｐを形成することを可能とするものであれば、勾配方向Ｄｇ（整列方向）で整列される各山型パネル対Ｐｐが互いに異なる設置面に設置されるものであってもよく、上記した実施例２の構成に限定されるものではない。
【００６６】
また、実施例２のソーラーパネル配置構造１０２では、各ソーラーパネル１１を単一の設置面Ｐ２に設置していたが、水平方向Ｄｌ（対向方向）で対を為す第１ソーラーパネル１１Ａと第２ソーラーパネル１１Ｂとを勾配方向Ｄｇ（整列方向）で整列させて山型パネルラインＰｌを形成することを可能とするものであれば、水平方向Ｄｌ（対向方向）で並列される各山型パネルラインＰｌが互いに異なる設置面に設置されるものであってもよく、上記した実施例２の構成に限定されるものではない。
【００６７】
なお、上記した各実施例では、本発明に係るソーラーパネル配置構造について説明したが、太陽エネルギーから電力を創り出す複数のソーラーパネルを設置面に設置して配置するためのソーラーパネル配置構造であって、前記ソーラーパネルは、対向方向で対を為す第１ソーラーパネルと第２ソーラーパネルとを備え、前記第１ソーラーパネルは、前記対向方向で見た一方の端部を前記設置面に最も近づく第１近接辺部としかつ前記対向方向で見た他方の端部を前記設置面から最も離れる第１離間辺部とすべく、前記第１近接辺部から前記第１離間辺部へ向かうに連れて前記設置面から漸次的に離れるように前記設置面に対して第１傾斜角度の傾斜を為して設けられ、前記第２ソーラーパネルは、前記対向方向で見た一方の端部を設置される設置面に最も近づく第２近接辺部としかつ前記対向方向で見た他方の端部を前記設置面から最も離れる第２離間辺部とすべく、前記第２近接辺部から前記第２離間辺部へ向かうに連れて前記設置面から漸次的に離れるように前記設置面に対して第２傾斜角度の傾斜を為して設けられ、前記第１ソーラーパネルと前記第２ソーラーパネルとは、前記第１離間辺部と前記第２離間辺部とを前記対向方向で付き合わせることで対を為して配置されるソーラーパネル配置構造であればよく、上記した各実施例に限定されるものではない。
【００６８】
また、上記した各実施例では、ソーラーパネル１１が光エネルギーを直接電力に変換する電力機器である太陽電池（セル）で構成されているものとしていたが、太陽エネルギーを電力に変換するものであれば、他の方法により太陽光を電力に変換するものであってもよく、太陽光と併せて太陽からの熱エネルギーを電力に変換するものであってもよく、上記した各実施例に限定されるものではない。
【００６９】
さらに、上記した各実施例では、図１や図１０に示す個数（３０個）のソーラーパネル１１を用いるものとしていたが、ソーラーパネル１１の個数、すなわち整列方向で整列される数や対向方向で並列される数は適宜設定すればよく、上記した各実施例に限定されるものではない。
【００７０】
上記した各実施例では、架台１４を用いてソーラーパネル１１を設置面（Ｐ、Ｐ２）に設置して配置していたが、本願発明に係るソーラーパネル配置構造で設置面（Ｐ、Ｐ２）上に設置して配置することを可能とするものであればよく、上記した各実施例に限定されるものではない。
【００７１】
上記した各実施例では、対向方向で対を為す第１ソーラーパネル１１Ａと第２ソーラーパネル１１Ｂとが等しい構成とされて、その第１ソーラーパネル１１Ａの第１傾斜角度θ１と第２ソーラーパネル１１Ｂの第２傾斜角度θ２とが互いに等しい大きさとされていたが、第１離間辺部（内側周辺部１１Ａｉ）と第２離間辺部（内側周辺部１１Ｂｉ）とを対向方向で付き合わせて配置されて対向方向で対を為すものとされていれば、第１ソーラーパネルと第２ソーラーパネルとが互いに異なる構成とされてもよく、その第１ソーラーパネルの第１傾斜角度と第２ソーラーパネルの第２傾斜角度とが互いに異なる大きさとされていてもよく、上記した各実施例に限定されるものではない。
【００７２】
以上、本願発明のソーラーパネル配置構造を各実施例に基づき説明してきたが、具体的な構成については各実施例に限られるものではなく、本発明の要旨を逸脱しない限り、設計の変更や追加等は許容される。また、前記構成部材の数、位置、形状等は各実施例に限定されず、本発明を実施する上で好適な数、位置、形状等にすることができる。
【符号の説明】
【００７３】
１０、１０２  ソーラーパネル配置構造
１１  ソーラーパネル
１１Ａ  第１ソーラーパネル
１１Ｂ  第２ソーラーパネル
１１Ａｏ  （第１近接辺部の一例としての）外側周辺部
１１Ａｉ  （第１離間辺部の一例としての）内側周辺部
１１Ｂｏ  （第２近接辺部の一例としての）外側周辺部
１１Ｂｉ  （第２離間辺部の一例としての）内側周辺部
Ｄｅｗ  （対向方向の一例としての）東西方向
Ｄｎｓ  （整列方向の一例としての）南北方向
Ｄｌ  （対向方向の一例としての）水平方向
Ｄｇ  （整列方向の一例としての）勾配方向
Ｐ、Ｐ２  設置面
Ｐｓ  通路用間隔
θ  傾斜角度
θ１  第１傾斜角度
θ２  第２傾斜角度
【図１】
2015124537.tif 000003
【図２】
2015124537.tif 000004
【図３】
2015124537.tif 000005
【図４】
2015124537.tif 000006
【図５】
2015124537.tif 000007
【図６】
2015124537.tif 000008
【図７】
2015124537.tif 000009
【図８】
2015124537.tif 000010
【図９】
2015124537.tif 000011
【図１０】
2015124537.tif 000012
【図１１】
2015124537.tif 000013
【図１２】
2015124537.tif 000014
【図１３】
2015124537.tif 000015